(57)【要約】【課題】小型低背化が促進しやすいデュアルバンドアンテナを提供すること。【解決手段】接地導体板１１上に立設された誘電体基板１２の片面に、メアンダ形状の第１の放射導体１３と、第２の放射導体１４の短冊状下部パターン１４ａとを設け、かつ誘電体基板１２の裏面に第２の放射導体１４の短冊状上部パターン１４ｂを設け、両パターン１４ａ，１４ｂが重なり合う第２の放射導体１４の不連続部分を容量結合部１４ｃとなす。また、誘電体基板１２上には接地導体板１１に対して平行な配置で、各放射導体１３，１４の上端部がそれぞれ接続された容量性導体１６，１７を設ける。そして、第１の周波数ｆ１の高周波電力が供給されたときには第１の放射導体１３が共振し、ｆ１よりも高周波な第２の周波数ｆ２の高周波電力が供給されたときには、容量結合部１４ｃを有する第２の放射導体１４が共振するように構成されている。【選択図】      図１
2004228983.tif 000002
【特許請求の範囲】
【請求項１】
平坦な接地導体上に立設された誘電体基板と、該誘電体基板の表面に設けられたメアンダ形状の導体パターンからなる第１の放射導体と、該第１の放射導体から分岐する導体パターンとして前記誘電体基板の表面に設けられ不連続な容量結合部を有する第２の放射導体と、前記誘電体基板上に前記接地導体に対し略平行に配置されて少なくとも前記第１の放射導体の上端部が接続された容量性導体とを備え、前記第１の放射導体の下端部に高周波電力を供給する構成としたことを特徴とするデュアルバンドアンテナ。
【請求項２】
請求項１の記載において、前記誘電体基板上に前記接地導体に対して略平行な配置で第２の誘電体基板を設置し、該第２の誘電体基板の表面に設けた導体層を前記容量性導体となしたことを特徴とするデュアルバンドアンテナ。
【請求項３】
請求項２の記載において、前記第２の誘電体基板の表面に導体層からなる第２の容量性導体を設け、該第２の容量性導体に前記第２の放射導体の上端部を接続したことを特徴とするデュアルバンドアンテナ。
【請求項４】
請求項１の記載において、前記誘電体基板上に設置した金属導体板を前記容量性導体となしたことを特徴とするデュアルバンドアンテナ。
【請求項５】
請求項１〜４いずれかの記載において、前記第２の放射導体が前記誘電体基板の片面とその裏面に設けられ、これら両面の該第２の放射導体どうしが該誘電体基板を介して対向する部分を前記容量結合部となしたことを特徴とするデュアルバンドアンテナ。
【発明の詳細な説明】
【０００１】
【発明の属する技術分野】
本発明は、２種類の周波数帯域（バンド）の信号波の送信や受信が可能で、車載用通信機等に組み込んで好適な小型のデュアルバンドアンテナに関する。
【０００２】
【従来の技術】
従来より、この種のデュアルバンドアンテナとして、図３に示すように、ピッチが異なる２種類のメアンダラインを連結してなる放射導体を基板表面に設けたアンテナ装置が知られている（例えば、特許文献１参照）。
【０００３】
図３に示すデュアルバンドアンテナ１は、接地導体板２上に立設された誘電体基板３の表面に、銅箔等からなる放射導体４がパターニングされており、この放射導体４が、比較的広いピッチで給電点に近い側からメアンダ形状に延出形成された第１の放射導体部４ａと、比較的狭いピッチで第１の放射導体部４ａの先端からメアンダ形状に延出形成された第２の放射導体部４ｂとを連結した構成になっている。
【０００４】
このように構成されたデュアルバンドアンテナ１では、放射導体４の給電点に同軸ケ−ブル等の給電線を介して第１の高周波電力を供給することにより、第１の放射導体部４ａから第２の放射導体部４ｂへと至る放射導体４の全体を第１の周波数ｆ１に共振させることができると共に、該給電点に第２の高周波電力を供給することにより、第１の放射導体部４ａだけを第１の周波数ｆ１よりも高周波な第２の周波数ｆ２に共振させることができる。つまり、狭ピッチのメアンダライン（第２の放射導体部４ｂ）には周波数の高い高周波電流が流れにくいため、第２の周波数ｆ２に対しては第１の放射導体部４ａだけを放射素子として動作させることが可能となる。また、このように放射導体４が蛇行したメアンダ形状に形成してあると、直線状に延出形成した放射導体に比べて、同じ電気長で高さ寸法を大幅に低減することができるので、アンテナ全体の小型低背化に有利となる。
【０００５】
【特許文献１】
特開２００１−６８９１７号公報（第３−４頁、図１）
【０００６】
【発明が解決しようとする課題】
図３に示す従来のデュアルバンドアンテナ１においては、放射導体４のメアンダピッチ（蛇行部の間隔）を過度に狭くすると高次モードが発生しやすくなってしまうので、低背化を促進するためには放射導体４をより細い帯状に形成するという手法が考えられる。しかしながら、放射導体４を細くすると共振周波数帯域が狭くなってしまうので、結局、アンテナ性能を劣化させないためには、放射導体４をある程度太い帯状に形成してメアンダピッチも狭くなりすぎないように配慮した設計が要求される。それゆえ、従来のデュアルバンドアンテナ１のようにメアンダピッチが異なる２種類の放射導体部４ａ，４ｂが直列に連結してあると、必然的に放射導体４が長寸になってしまい、アンテナ全体の低背化が促進しにくいという問題があった。
【０００７】
本発明は、このような従来技術の実情に鑑みてなされたもので、その目的は、小型低背化が促進しやすいデュアルバンドアンテナを提供することにある。
【０００８】
【課題を解決するための手段】
上述した目的を達成するため、本発明のデュアルバンドアンテナは、平坦な接地導体上に立設された誘電体基板と、該誘電体基板の表面に設けられたメアンダ形状の導体パターンからなる第１の放射導体と、該第１の放射導体から分岐する導体パターンとして前記誘電体基板の表面に設けられ不連続な容量結合部を有する第２の放射導体と、前記誘電体基板上に前記接地導体に対し略平行に配置されて少なくとも前記第１の放射導体の上端部が接続された容量性導体とを備え、前記第１の放射導体の下端部に高周波電力を供給する構成とした。
【０００９】
かかる構成において、メアンダ形状の第１の放射導体は、供給される高周波電力の周波数が高くなるほどインダクティブなリアクタンスが増大するため電流が流れにくくなり、逆に第２の放射導体は、容量結合部を有するため周波数が低くなるほど電流が流れにくくなる。それゆえ、上述したデュアルバンドアンテナは、相対的に低い周波数の高周波電力が供給されたときには第１の放射導体を共振させ、相対的に高い周波数の高周波電力が供給されたときには第２の放射導体を共振させることができる。そして、このように高低２種類の周波数に対応する放射導体が並列に連結されていることから、このデュアルバンドアンテナは高さ寸法を低減させやすい。また、少なくとも第１の放射導体の共振時には容量性導体が短縮コンデンサとして機能するため、該放射導体の共振周波数が下がり（低くなり）、所定の周波数に共振させるうえで必要な該放射導体の電気長が短縮されて、アンテナ全体の高さ寸法が一層低減させやすい。
【００１０】
なお、前記誘電体基板上に前記接地導体に対して略平行な配置で第２の誘電体基板を設置し、該第２の誘電体基板の表面に設けた導体層を前記容量性導体となしてもよいし、あるいは、第２の誘電体基板を省略し、前記誘電体基板上に設置した金属導体板を容量性導体となしてもよい。いずれの場合も、第１の放射導体だけでなく第２の放射導体についても上端部を容量性導体に接続しておくことにより、第２の放射導体の電気長が短縮可能となる。また、第２の誘電体基板を備えている場合には、該第２の誘電体基板の表面に導体層からなる第２の容量性導体を設けて、該第２の容量性導体に第２の放射導体を接続し、前記容量性導体には第１の放射導体を接続する構成にしてもよい。この場合、各放射導体をそれぞれ最適なキャパシタンスの容量性導体に接続することが可能となる。
【００１１】
また、第２の放射導体が前記誘電体基板の片面とその裏面に設けられ、これら両面の該第２の放射導体どうしが該誘電体基板を介して対向する部分を前記容量結合部となしたデュアルバンドアンテナにおいては、容量結合部に必要なキャパシタンスが誘電体基板を利用して簡単に確保できると共に、第２の放射導体の高さ寸法も低減させやすいので好ましい。
【００１２】
【発明の実施の形態】
発明の実施の形態について図面を参照して説明すると、図１は本発明の実施形態例に係るデュアルバンドアンテナの斜視図、図２は該デュアルバンドアンテナの背面図である。
【００１３】
これらの図に示すデュアルバンドアンテナ１０には、接地導体板１１上に立設された誘電体基板１２の表裏両面に銅箔等をパターニングしてなる第１の放射導体１３および第２の放射導体１４が設けられている。また、誘電体基板１２上には接地導体板１１に対して平行な配置で誘電体小基板１５が載置固定されており、この誘電体小基板１５に銅箔等の導体層からなる第１の容量性導体１６および第２の容量性導体１７が設けられている。誘電体基板１２の片面（表面）に設けられた第１の放射導体１３は蛇行したメアンダ形状に形成され、その下端部に同軸ケ−ブル等の図示せぬ給電線が接続されており、該給電線を介して高低２種類の高周波電力が供給されるようになっている。また、第１の放射導体１３の上端部は第１の容量性導体１６に接続されている。一方、第２の放射導体１４は、誘電体基板１２の片面に設けられて第１の放射導体１３から分岐して上方へ延びる短冊状下部パターン１４ａと、誘電体基板１２の裏面に設けられて短冊状下部パターン１４ａと一部が重なり合う短冊状上部パターン１４ｂとに分割されており、この短冊状上部パターン１４ｂの上端部は第２の容量性導体１７に接続されている。また、短冊状下部パターン１４ａと短冊状上部パターン１４ｂとが誘電体基板１２を介して重なり合う部分は、第２の放射導体１４の容量結合部１４ｃとなっている。
【００１４】
このように構成されたデュアルバンドアンテナ１０は、前記給電線から第１の周波数ｆ１の高周波電力が供給されると第１の放射導体１３が共振し、第１の周波数ｆ１よりも高周波な第２の周波数ｆ２が供給されると第２の放射導体１４が共振するようになっている。すなわち、メアンダ形状の第１の放射導体１３は、供給される高周波電力の周波数が高くなるほどインダクティブなリアクタンスが増大するため電流が流れにくくなり、逆に第２の放射導体１４は、容量結合部１４ｃを有するため周波数が低くなるほど電流が流れにくくなる。それゆえ、上述したように相対的に低い周波数ｆ１の高周波電力が供給されたときにはメアンダ形状の第１の放射導体１３を共振させ、相対的に高い周波数ｆ２の高周波電力が供給されたときには第２の放射導体１４を共振させることができる。そして、高低２種類の周波数に対応する第１および第２の放射導体１３，１４が並列に連結されているため、このデュアルバンドアンテナ１０は高さ寸法を低減させやすくなっている。また、第１の放射導体１３の共振時には第１の容量性導体１６が共振周波数を下げる短縮コンデンサとして機能し、第２の放射導体１４の共振時には第２の容量性導体１７が共振周波数を下げる短縮コンデンサとして機能するため、いずれの放射導体１３，１４も電気長が短縮されており、この点でも高さ寸法を低減させやすくなっている。したがって、このデュアルバンドアンテナ１０は小型低背化を無理なく促進することができる。
【００１５】
なお、本実施形態例において、第２の放射導体１４は、誘電体基板１２の表裏両面に設けた短冊状下部パターン１４ａと短冊状上部パターン１４ｂとが重なり合う不連続部分を容量結合部１４ｃとなしているため、容量結合部１４ｃに必要なキャパシタンスが誘電体基板１２を利用して簡単に確保できると共に、第２の放射導体１４の高さ寸法も低減させやすい。ただし、誘電体基板１２の片面に短冊状下部パターンおよび短冊状上部パターンを上下に離して設け、その不連続部分を容量結合部となしてもよい。
【００１６】
また、本実施形態例では、誘電体小基板１５に第１の容量性導体１６と第２の容量性導体１７とを設けて、各容量性導体１６，１７をそれぞれ各放射導体１３，１４の上端部に接続しているため、各放射導体１３，１４をそれぞれ最適なキャパシタンスの容量性導体に接続することが可能である。ただし、共通の容量性導体に各放射導体１３，１４を接続する構成にしてもよく、その場合、誘電体小基板１５を省略し、誘電体基板１２上に設置した金属導体板を容量性導体となしてもよい。
【００１７】
【発明の効果】
本発明は、以上説明したような形態で実施され、以下に記載されるような効果を奏する。
【００１８】
第１の周波数の高周波電力を供給したときにメアンダ形状の第１の放射導体を共振させ、それよりも高周波な第２の周波数の高周波電力を供給したときに容量結合部を有する第２の放射導体を共振させるというデュアルバンドアンテナであって、これら第１および第２の放射導体が並列に連結されているので、アンテナ全体の高さ寸法を低減させやすい。また、少なくとも第１の放射導体の共振時には容量性導体が短縮コンデンサとして機能するため、該放射導体の電気長が短縮されて、この点でもアンテナ全体の高さ寸法を低減させやすい。それゆえ、小型低背化を無理なく促進することができる。
【図面の簡単な説明】
【図１】本発明の実施形態例に係るデュアルバンドアンテナの斜視図である。
【図２】該デュアルバンドアンテナの背面図である。
【図３】従来例を示す説明図である。
【符号の説明】
１１  接地導体板
１２  誘電体基板
１３  第１の放射導体
１４  第２の放射導体
１４ａ  短冊状下部パターン
１４ｂ  短冊状上部パターン
１４ｃ  容量結合部
１５  誘電体小基板（第２の誘電体基板）
１６  第１の容量性導体
１７  第２の容量性導体
【図１】
2004228983.tif 000003
【図２】
2004228983.tif 000004
【図３】
2004228983.tif 000005